(57)【要約】【課題】異常媒体枚数の確定の確度を高め得る。【解決手段】紙幣入出金機１０は、紙幣入出金部１６から全ての紙幣を繰り出して鑑別部１８を介し一時保留部２０へ搬送した後に紙幣入出金部１６へ搬送することにより、紙幣入出金部１６から繰り出された紙幣の総数である投入紙幣枚数を計数する投入媒体計数部と、紙幣入出金部１６から紙幣を再び投入紙幣枚数分だけ繰り出して鑑別部１８へ搬送し、当該鑑別部１８において異常と鑑別された異常紙幣を後続紙幣と共に紙幣入出金部１６へ搬送する一方、当該鑑別部１８により正常と鑑別された正常紙幣を一時保留部２０へ搬送し保持させ、当該正常紙幣の総数である正常紙幣枚数を計数する正常媒体計数部と、投入紙幣枚数から正常紙幣枚数を減算し、異常紙幣の枚数である異常紙幣枚数を算出する異常媒体枚数算出部として制御部１２を機能させるようにした。【選択図】図６
2014157387.tif 000002
【特許請求の範囲】
【請求項１】
収容された複数の紙葉状の媒体を１枚ずつ分離して搬送部に繰り出すと共に、当該搬送部から搬送された上記媒体を集積する媒体収容部と、
上記搬送部上に設けられ、上記媒体が正常であるか異常であるかを鑑別する鑑別部と、
上記搬送部上に設けられ、上記媒体を一時的に保持する媒体保持部と、
上記媒体収容部から全ての上記媒体を繰り出して上記媒体の総数である投入媒体枚数を計数し、当該媒体を上記媒体収容部へ搬送する投入媒体計数部と、
上記媒体収容部から上記媒体を再び繰り出して上記鑑別部へ搬送し、当該鑑別部により正常と鑑別された正常媒体を上記媒体保持部へ搬送し保持させ、当該正常媒体の総数である正常媒体枚数を計数する正常媒体計数部と、
上記投入媒体枚数から上記正常媒体枚数を減算し、上記異常媒体の枚数である異常媒体枚数を算出する異常媒体枚数算出部と
を有する媒体処理装置。
【請求項２】
収容された複数の紙葉状の媒体を１枚ずつ分離して搬送部に繰り出すと共に、当該搬送部から搬送された上記媒体を集積する媒体収容部と、
上記搬送部上に設けられ、上記媒体が正常であるか異常であるかを鑑別する鑑別部と、
上記搬送部上に設けられ、上記媒体を一時的に保持する媒体保持部と、
上記媒体収容部から全ての上記媒体を繰り出して上記鑑別部へ搬送し、当該鑑別部において異常と鑑別された異常媒体を上記媒体収容部へ搬送する媒体分別搬送部と、
上記媒体収容部から全ての上記異常媒体を繰り出して当該異常媒体の総数である異常媒体枚数を計数し、当該異常媒体を上記媒体収容部へ搬送する異常媒体計数部と
を有する媒体処理装置。
【請求項３】
上記異常媒体計数部により計数された上記異常媒体を、先行する上記異常媒体が上記鑑別部により鑑別された後に後続の上記異常媒体を繰り出す間欠分離により上記媒体収容部から上記異常媒体枚数分だけ繰り出して上記鑑別部へ搬送し、当該鑑別部により正常と鑑別された間欠分離後正常媒体を上記媒体保持部へ搬送し保持させ、当該間欠分離後正常媒体の総数である間欠分離後正常媒体枚数を計数する間欠分離後正常媒体計数部と、
上記異常媒体枚数から上記間欠分離後正常媒体枚数を減算し、上記異常媒体の枚数である間欠分離後異常媒体枚数を算出する間欠分離後異常媒体枚数算出部と
をさらに有する請求項２に記載の媒体処理装置。
【請求項４】
収容された複数の紙葉状の媒体を１枚ずつ分離して搬送部に繰り出すと共に、当該搬送部から搬送された上記媒体を集積する媒体収容部と、
上記搬送部上に設けられ、上記媒体が正常であるか異常であるかを鑑別する鑑別部と、
上記搬送部上に設けられ、上記媒体を一時的に保持する媒体保持部と、
上記媒体収容部から上記媒体を繰り出して上記鑑別部へ搬送し、当該鑑別部により正常と鑑別された正常媒体を上記媒体保持部へ搬送し保持させる一方、当該鑑別部において異常と鑑別された上記媒体を上記媒体収容部へ搬送して上記媒体収容部からの上記媒体の繰り出しを中止する正常媒体除去搬送部と、
上記正常媒体除去搬送部により上記正常媒体が除かれた全ての上記媒体を上記媒体収容部から繰り出して、当該媒体収容部から繰り出された上記媒体の総数である繰出媒体枚数を計数し、当該媒体を上記媒体収容部へ搬送する繰出媒体計数部と、
上記媒体収容部から上記媒体を上記繰出媒体枚数分だけ再び繰り出して上記鑑別部へ搬送し、当該鑑別部により正常と鑑別された正常媒体を上記媒体保持部へ搬送し保持させ、当該正常媒体の総数である正常媒体枚数を計数する正常媒体計数部と、
上記繰出媒体枚数から上記正常媒体枚数を減算し、上記異常媒体の枚数である異常媒体枚数を算出する異常媒体枚数算出部と
を有する媒体処理装置。
【請求項５】
上記異常媒体枚数算出部により計数された上記異常媒体を、先行する上記異常媒体が上記鑑別部により鑑別された後に後続の上記異常媒体を繰り出す間欠分離により上記媒体収容部から上記異常媒体枚数分だけ繰り出して上記鑑別部へ搬送し、当該鑑別部により正常と鑑別された間欠分離後正常媒体を上記媒体保持部へ搬送し保持させ、当該間欠分離後正常媒体の総数である間欠分離後正常媒体枚数を計数する間欠分離後正常媒体計数部と、
上記異常媒体枚数から上記間欠分離後正常媒体枚数を減算し、上記異常媒体の枚数である間欠分離後異常媒体枚数を算出する間欠分離後異常媒体枚数算出部と
をさらに有する請求項４に記載の媒体処理装置。
【請求項６】
収容された複数の紙葉状の媒体を１枚ずつ分離して搬送部に繰り出すと共に、当該搬送部から搬送された上記媒体を集積する媒体収容部と、
上記搬送部上に設けられ、上記媒体が正常であるか異常であるかを鑑別する鑑別部と、
上記搬送部上に設けられ、上記媒体を一時的に保持する媒体保持部と、
上記媒体収容部から全ての上記媒体を繰り出して上記鑑別部へ搬送し、当該鑑別部において異常と鑑別された異常媒体を上記媒体収容部へ搬送する媒体分別搬送部と、
上記媒体収容部から上記異常媒体を繰り出して当該異常媒体の記番号を読み取り当該異常媒体を上記媒体収容部へ搬送する記番号読取部と、
上記記番号読取部により読み取った上記記番号を記憶する記番号記憶部と、
上記記番号記憶部に記憶されている上記記番号と同一の記番号が上記記番号読取部により読み取られるまで、上記媒体収容部から繰り出された上記異常媒体の枚数を計数する異常媒体計数部と
を有する媒体処理装置。
【請求項７】
上記媒体収容部は、繰り出される上記媒体と集積される上記媒体とを分別せず収容する
請求項１乃至請求項６のいずれかに記載の媒体処理装置。
【発明の詳細な説明】
【技術分野】
【０００１】
本発明は媒体処理装置に関し、例えば紙幣等の媒体を投入して所望の取引を行う現金自動取引装置（ＡＴＭ）等に適用して好適なものである。
【背景技術】
【０００２】
従来、金融機関や店舗等で使用される現金自動取引装置等においては、顧客との取引内容に応じて、例えば顧客に紙幣や硬貨等の現金を入金させ、また顧客へ現金を出金するようになされている。
【０００３】
現金自動取引装置としては、例えば顧客との間で紙幣の授受を行う紙幣入出金部と、投入された紙幣の金種及び真偽を鑑別する鑑別部と、投入された紙幣を一時的に保留する一時保留部と、紙幣を搬送する搬送部と、金種毎に紙幣を格納する紙幣カセットとを有するものがある。
【０００４】
また現金自動取引装置には、鑑別部において正常と判定された正常紙幣を一時保留部に保留する一方、異常と判定された異常紙幣を、投入された紙幣との物理的な仕切りがない紙幣入出金部へ集積するものが提案されている（例えば、特許文献１参照）。
【先行技術文献】
【特許文献】
【０００５】
【特許文献１】特開２０１０−１５２７２２公報
【発明の概要】
【発明が解決しようとする課題】
【０００６】
このような現金自動取引装置は、投入された紙幣と異常紙幣とが物理的に分離されることなく紙幣入出金部に集積されるため、返却時の異常紙幣の正確な枚数を把握できないおそれがあった。
【０００７】
本発明は以上の点を考慮してなされたもので、異常媒体枚数の確定の確度を高め得る媒体処理装置を提案しようとするものである。
【課題を解決するための手段】
【０００８】
かかる課題を解決するため本発明の媒体処理装置においては、収容された複数の紙葉状の媒体を１枚ずつ分離して搬送部に繰り出すと共に、当該搬送部から搬送された媒体を集積する媒体収容部と、搬送部上に設けられ、媒体が正常であるか異常であるかを鑑別する鑑別部と、搬送部上に設けられ、媒体を一時的に保持する媒体保持部と、媒体収容部から全ての媒体を繰り出して媒体の総数である投入媒体枚数を計数し、当該媒体を媒体収容部へ搬送する投入媒体計数部と、媒体収容部から媒体を再び繰り出して鑑別部へ搬送し、当該鑑別部により正常と鑑別された正常媒体を媒体保持部へ搬送し保持させ、当該正常媒体の総数である正常媒体枚数を計数する正常媒体計数部と、投入媒体枚数から正常媒体枚数を減算し、異常媒体の枚数である異常媒体枚数を算出する異常媒体枚数算出部とを設けるようにした。
【０００９】
この媒体処理装置は、媒体の鑑別動作を行う前に、投入媒体枚数を計数するというシンプルな動作を行うだけで、その後の鑑別動作において正確に異常媒体枚数を算出できる。
【００１０】
また本発明の媒体処理装置においては、収容された複数の紙葉状の媒体を１枚ずつ分離して搬送部に繰り出すと共に、当該搬送部から搬送された媒体を集積する媒体収容部と、搬送部上に設けられ、媒体が正常であるか異常であるかを鑑別する鑑別部と、搬送部上に設けられ、媒体を一時的に保持する媒体保持部と、媒体収容部から全ての媒体を繰り出して鑑別部へ搬送し、当該鑑別部において異常と鑑別された異常媒体を媒体収容部へ搬送する媒体分別搬送部と、媒体収容部から全ての異常媒体を繰り出して当該異常媒体の総数である異常媒体枚数を計数し、当該異常媒体を媒体収容部へ搬送する異常媒体計数部とを設けるようにした。
【００１１】
この媒体処理装置は、短時間で正確に異常媒体枚数を算出できる。
【００１２】
さらに本発明の媒体処理装置においては、収容された複数の紙葉状の媒体を１枚ずつ分離して搬送部に繰り出すと共に、当該搬送部から搬送された媒体を集積する媒体収容部と、搬送部上に設けられ、媒体が正常であるか異常であるかを鑑別する鑑別部と、搬送部上に設けられ、媒体を一時的に保持する媒体保持部と、媒体収容部から媒体を繰り出して鑑別部へ搬送し、当該鑑別部により正常と鑑別された正常媒体を媒体保持部へ搬送し保持させる一方、当該鑑別部において異常と鑑別された媒体を媒体収容部へ搬送して媒体収容部からの媒体の繰り出しを中止する正常媒体除去搬送部と、正常媒体除去搬送部により正常媒体が除かれた全ての媒体を媒体収容部から繰り出して、当該媒体収容部から繰り出された媒体の総数である繰出媒体枚数を計数し、当該媒体を媒体収容部へ搬送する繰出媒体計数部と、媒体収容部から媒体を繰出媒体枚数分だけ再び繰り出して鑑別部へ搬送し、当該鑑別部により正常と鑑別された正常媒体を媒体保持部へ搬送し保持させ、当該正常媒体の総数である正常媒体枚数を計数する正常媒体計数部と、繰出媒体枚数から正常媒体枚数を減算し、異常媒体の枚数である異常媒体枚数を算出する異常媒体枚数算出部とを設けるようにした。
【００１３】
この媒体処理装置は、媒体の鑑別動作を行う前における繰出媒体枚数を計数する時間を短縮でき、短時間で正確に異常媒体枚数を算出できる。
【００１４】
また本発明の媒体処理装置においては、収容された複数の紙葉状の媒体を１枚ずつ分離して搬送部に繰り出すと共に、当該搬送部から搬送された媒体を集積する媒体収容部と、搬送部上に設けられ、媒体が正常であるか異常であるかを鑑別する鑑別部と、搬送部上に設けられ、媒体を一時的に保持する媒体保持部と、媒体収容部から全ての媒体を繰り出して鑑別部へ搬送し、当該鑑別部において異常と鑑別された異常媒体を媒体収容部へ搬送する媒体分別搬送部と、媒体収容部から異常媒体を繰り出して当該異常媒体の記番号を読み取り当該異常媒体を媒体収容部へ搬送する記番号読取部と、記番号読取部により読み取った記番号を記憶する記番号記憶部と、記番号記憶部に記憶されている記番号と同一の記番号が記番号読取部により読み取られるまで、媒体収容部から繰り出された異常媒体の枚数を計数する異常媒体計数部とを設けるようにした。
【００１５】
この媒体処理装置は、同一の記番号が検出されるまで鑑別動作を行い、異常媒体枚数をカウントするというシンプルな動作を行うだけで、正確に異常媒体枚数を算出できる。
【発明の効果】
【００１６】
本発明によれば、異常媒体の枚数を正確に把握できる。かくして本発明は、異常媒体枚数確定の確度を高め得る媒体処理装置を実現できる。
【図面の簡単な説明】
【００１７】
【図１】現金自動取引装置の構成を示す斜視図である。
【図２】紙幣入出金機の構成を示す左側面図である。
【図３】紙幣入出金機の制御構成を示すブロック図である。
【図４】紙幣入出金部の構成を示す左側面図である。
【図５】第１の実施の形態による入金処理手順（１）を示すフローチャートである。
【図６】第１の実施の形態による入金処理手順（２）を示すフローチャートである。
【図７】第１の実施の形態による紙幣の経路（１）を示す略線図である。
【図８】第１の実施の形態による紙幣の経路（２）を示す略線図である。
【図９】第２の実施の形態による入金処理手順（１）を示すフローチャートである。
【図１０】第２の実施の形態による入金処理手順（２）を示すフローチャートである。
【図１１】第２の実施の形態による紙幣の経路（１）を示す略線図である。
【図１２】第２の実施の形態による紙幣の経路（２）を示す略線図である。
【図１３】第３の実施の形態による入金処理手順（１）を示すフローチャートである。
【図１４】第３の実施の形態による入金処理手順（２）を示すフローチャートである。
【図１５】第３の実施の形態による紙幣の経路を示す略線図である。
【図１６】第４の実施の形態による入金処理手順を示すフローチャートである。
【図１７】第４の実施の形態による紙幣の経路を示す略線図である。
【図１８】第５の実施の形態による入金処理手順（１）を示すフローチャートである。
【図１９】第５の実施の形態による入金処理手順（２）を示すフローチャートである。
【図２０】第５の実施の形態による紙幣の経路（１）を示す略線図である。
【図２１】第５の実施の形態による紙幣の経路（２）を示す略線図である。
【発明を実施するための形態】
【００１８】
以下、発明を実施するための形態（以下実施の形態とする）について、図面を用いて説明する。
【００１９】
［１．第１の実施の形態］
［１−１．現金自動取引装置の構成］
図１に外観を示すように、現金自動取引装置１は、箱状の筐体２を中心に構成されており、例えば金融機関等に設置され、顧客との間で入金取引や出金取引等の現金に関する取引を行うようになされている。
【００２０】
筐体２は、その前側に顧客が対峙した状態で紙幣の投入やタッチパネルによる操作等をしやすい箇所、すなわち前面の上部から上面に渡る部分が斜めに切り落とされたような形状となっており、この部分に接客部３が設けられている。
【００２１】
接客部３は、カード入出口４、入出金口５、操作表示部６、テンキー７及びレシート発行口８が設けられており、顧客との間で現金や通帳等を直接やり取りすると共に、取引に関する情報の通知や操作指示の受付を行うようになされている。
【００２２】
カード入出口４は、キャッシュカード等の各種カードが挿入又は排出される部分である。カード入出口４の奥側には、各種カードに磁気記録された口座番号等の読み取りを行うカード処理部（図示せず）が設けられている。
【００２３】
入出金口５は、顧客が入金する紙幣が投入されると共に、顧客へ出金する紙幣が排出される部分である。また入出金口５は、シャッタを駆動することにより開放又は閉塞するようになされている。
【００２４】
操作表示部６は、取引に際して操作画面を表示するＬＣＤ（Liquid Crystal Display）と、取引の種類の選択、暗証番号や取引金額等を入力するタッチパネルとが一体化されている。
【００２５】
テンキー７は、「０」〜「９」の数字等の入力を受け付ける物理キーであり、暗証番号や取引金額等の入力操作時に用いられる。
【００２６】
レシート発行口８は、取引処理の終了時に取引内容等を印字したレシートを発行する部分である。因みにレシート発行口８の奥側には、レシートに取引内容等を印字するレシート処理部（図示せず）が設けられている。
【００２７】
筐体２内には、現金自動取引装置１全体を統括制御する主制御部９や、紙幣に関する種々の処理を行う紙幣入出金機１０等が設けられている。
【００２８】
以下では、現金自動取引装置１のうち顧客が対峙する側を前側とし、その反対を後側とし、当該前側に対峙した顧客から見て左及び右をそれぞれ左側及び右側とし、さらに上側及び下側を定義して説明する。
【００２９】
［１−２．紙幣入出金機の内部構成］
紙幣入出金機１０は、図３に示すように、制御部１２が各部（記憶部１４、取忘れ回収庫２２、リジェクト庫２８、紙幣カセット２６、シャッタ３０、紙幣入出金部１６、鑑別部１８、搬送部２４及び一時保留部２０）を統轄制御する。
【００３０】
制御部１２は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部１４から所定のプログラムを読み出して実行することにより、各部を制御して入金取引や出金取引等の種々の処理を行う。また記憶部１４は、鑑別部１８が鑑別した結果や、紙幣を計数した枚数や、紙幣の記番号等を記憶する。
【００３１】
紙幣入出金機１０の内部には、図２に示すように上側に紙幣入出金部１６、紙幣の金種や真偽を判定する鑑別部１８、入金紙幣等を一時的に保留する一時保留部２０及び取引時に顧客が紙幣入出金部１６から取り忘れた紙幣を回収して格納する取忘れ回収庫２２等が設けられている。
【００３２】
搬送部２４は、図示しないローラやベルト等により、図中太線で示す搬送路に沿って長方形の紙幣を短辺方向に搬送するようになされている。搬送部２４は、鑑別部１８を前後方向に挿通させるように紙幣を搬送し、当該鑑別部１８の後側と一時保留部２０、取忘れ回収庫２２及び紙幣入出金部１６とをそれぞれ接続している。また搬送部２４は、鑑別部１８の前側と紙幣入出金部１６、紙幣カセット２６及びリジェクト庫２８とを接続している。
【００３３】
図４に示すように、紙幣入出金部１６は主に、シャッタ３０、紙幣収容部３２、ビルプレス３４、プールガイド３６、各種ローラ（ピッカローラ３８、フィードローラ４０、分離ローラ４２及び集積ローラ４４）及び支持板５０により構成されている。
【００３４】
プールガイド３６は、紙幣入出金部１６の前寄りにおいて前後方向に往復移動可能に配置されており、ピッカローラ３８の外周面を突出させる開口が設けられている。ビルプレス３４は、紙幣入出金部１６の後寄りにおいて前後方向に往復移動可能にプールガイド３６と対向して配置されている。
【００３５】
ピッカローラ３８は、紙幣収容部３２の前側において図中反時計回りに回転することにより、紙幣ＢＬを繰り出す。フィードローラ４０及び分離ローラ４２は、ピッカローラ３８により繰り出された紙幣ＢＬを１枚ずつ分離して繰出口４６を介し搬送部２４（図２）へ送り出す。
【００３６】
集積ローラ４４は、紙幣収容部３２の後側において図中時計回りに回転することにより、搬送部２４（図２）から搬送された紙幣を、集積口４８を介して紙幣収容部３２へ集積させる。
【００３７】
集積ローラ４４の回転軸には、ゴム等の弾性部材で形成された舌片５２が設けられている。この舌片５２は、集積ローラ４４と共に時計回りに回転することにより、紙幣収容部３２へ送り出された紙幣ＢＬの下端部分を叩き、当該紙幣ＢＬをプールガイド３６側に沿わせる。
【００３８】
顧客との間で紙幣ＢＬの授受を行う場合、紙幣入出金部１６は、図４（Ａ）に示すようにプールガイド３６とビルプレス３４とを入出金口５のほぼ中央の下側に移動させてシャッタ３０を開く。
【００３９】
また、紙幣収容部３２へ投入された紙幣ＢＬを１枚ずつ分離して搬送部２４（図２）へ繰り出す場合、紙幣入出金部１６は、図４（Ｂ）に示すように、ビルプレス３４を前方へ移動させてピッカローラ３８に紙幣ＢＬを押し付け（この状態を繰出状態とも呼ぶ）、ピッカローラ３８、フィードローラ４０及び分離ローラ４２を回転させて紙幣ＢＬを搬送部２４へ繰り出す。
【００４０】
紙幣入出金部１６には、光学式センサ等で構成された紙幣検出センサ（図示せず）が設けられており、当該紙幣検出センサは、紙幣収容部３２の紙幣ＢＬの存否を確認することにより紙幣収容部３２の全ての紙幣ＢＬが分離して繰り出されたか否かを検出し、その検出結果を制御部１２（図１）へ通知する。
【００４１】
また、異常な紙幣ＢＬ若しくは出金する紙幣ＢＬを搬送部２４（図２）を介して紙幣収容部３２に集積する場合、紙幣入出金部１６は、図３（Ｃ）に示すように、ビルプレス３４を後方へ移動させると共にプールガイド３６を紙幣入出金部１６のほぼ中央に移動させ（この状態を集積状態とも呼ぶ）、集積ローラ４４を回転させて紙幣ＢＬを紙幣収容部３２へ取り込み、紙幣収容部３２に既に収容されている他の紙幣ＢＬに重ねて集積させる。
【００４２】
このように紙幣入出金部１６は、分離繰り出しする紙幣ＢＬと集積する紙幣ＢＬとを共に紙幣収容部３２に収容しつつ、互いに物理的に分離する仕切板を紙幣収容部３２に設けないことにより、部材を簡略化するようになされている。
【００４３】
また紙幣入出金部１６における集積口４８の近傍には、光学式センサ等で構成され、通過する紙幣を検出する集積口センサ（図示せず）が設けられており、当該集積口センサは、その検出結果を制御部１２（図１）へ通知する。制御部１２は、当該検出結果に基づいて紙幣の枚数を計数する。
【００４４】
鑑別部１８（図２）は、その内部で紙幣を搬送しながら、光学素子や磁気検出素子等を用いて当該紙幣の金種及び真偽、並びに損傷の程度等（正損）を鑑別し、その鑑別結果を制御部１２（図１）へ通知する。これに応じて制御部１２は、取得した鑑別結果に基づいて当該紙幣の搬送先を決定する。
【００４５】
また鑑別部１８は、撮像した紙幣の画像データから、紙幣毎に付与されその紙幣の一面に予め印刷された英数字等で構成された紙幣識別情報である記番号を読み取ると共に、内部を搬送させた紙幣の枚数を計数し、計数結果を制御部１２へ通知するようにもなされている。
【００４６】
一時保留部２０は、入金時に顧客が紙幣入出金部１６へ投入した紙幣を一時的に保留し、鑑別部１８で入金可能と鑑別された正常紙幣を入金が確定するまで一時的に保留する一方、入金不可と鑑別された異常紙幣を、所謂後入れ先出しで紙幣入出金部１６へ排出する。
【００４７】
一時保留部２０における紙幣の出入口の近傍には、光学式センサ等で構成され、通過する紙幣を検出する保留部センサ（図示せず）が設けられており、当該保留部センサは、その検出結果を制御部１２（図１）へ通知する。制御部１２は、当該検出結果に基づいて紙幣の枚数を計数する。
【００４８】
また紙幣入出金機１０の内部には、下側に金種別の紙幣カセット２６（２６Ａ〜２６Ｄ）と、鑑別部１８において破損した紙幣（いわゆる損券）と鑑別された紙幣及び５千券や２千券等の還流されない金種の紙幣を格納するリジェクト庫２８とが設けられている。
【００４９】
紙幣カセット２６は、収納排出機構により、搬送部２４から搬送されてきた紙幣を取り込んで収納すると共に、収納されている紙幣を排出して搬送部２４へ供給するようになされている。
【００５０】
［１−３．入金処理］
次に、現金自動取引装置１による入金処理の具体的な処理手順について、図５及び図６のフローチャートを用いて詳細に説明する。
【００５１】
紙幣入出金機１０の制御部１２は、顧客が紙幣を入金する入金取引を行う場合、操作表示部６を介して所定の操作入力を受け付けた後、入出金口５のシャッタ３０を開いて紙幣収容部３２内へ紙幣を投入させる。
【００５２】
制御部１２は、記憶部１４から入金処理プログラムを読み出して実行することにより入金処理手順ＲＴ１を開始し、ステップＳＰ１へ移る。
【００５３】
ステップＳＰ１において制御部１２は、正常紙幣カウンタ及びリトライカウンタを"０"で初期化し、次のステップＳＰ２へ移る。
【００５４】
ここで正常紙幣カウンタは、鑑別部１８で正常紙幣と鑑別された紙幣の枚数を示しており、リトライカウンタは、鑑別部１８で異常紙幣が検出され、当該異常紙幣及び後続紙幣が一旦紙幣入出金部１６に戻された後に、紙幣入出金部１６から再び次の紙幣を繰り出した回数（すなわち鑑別動作をリトライした回数）を示している。
【００５５】
ステップＳＰ２において制御部１２は、紙幣入出金部１６を繰出状態に移行させ、当該紙幣入出金部１６に投入された紙幣の全てである全投入紙幣ＢＬａを、図７に示すように鑑別部１８を経由して一時保留部２０へ搬送する。
【００５６】
ステップＳＰ３において制御部１２は、紙幣入出金部１６を繰出状態から集積状態に移行させ、一時保留部２０に保持した全投入紙幣ＢＬａを図７に示すように紙幣入出金部１６へ搬送する。このとき制御部１２は、集積口センサから通知された検出結果に基づき紙幣の枚数の計数を行い、投入紙幣カウンタを設定し、次のステップＳＰ４へ移る。ここで投入紙幣カウンタは、顧客が紙幣入出金部１６に投入した投入紙幣の総数である投入紙幣枚数を示している。
【００５７】
このように制御部１２は、鑑別部１８に紙幣を搬送し判定結果に基づき紙幣の搬送先を決定する鑑別動作を行う前に、全投入紙幣ＢＬａの総数を計数し、投入紙幣枚数を得るようになされている。
【００５８】
ステップＳＰ４において制御部１２は、紙幣入出金部１６から１枚ずつ紙幣を連続分離により鑑別部１８へ搬送して鑑別処理を行うことにより正常紙幣か異常紙幣かを判定し、次のステップＳＰ５へ移る。
【００５９】
ここで、連続分離とは、先行する紙幣が鑑別部１８により鑑別される前に、紙幣収容部３２に存在する紙幣を紙幣入出金部１６が連続して１枚ずつ分離して搬送部２４へ繰り出すことを示している。これにより紙幣入出金機１０は、鑑別部１８の鑑別処理時間や、搬送部２４の分岐点に設けられた切替ブレード（図示せず）の動作時間等を考慮しつつ、入金処理を短い時間で完了させることができる。
【００６０】
このため連続分離においては、紙幣入出金部１６から繰り出された紙幣が鑑別部１８により鑑別されたとき、鑑別部１８と紙幣入出金部１６との間の搬送部２４上に、一又は複数の後続紙幣が存在することになる。
【００６１】
ステップＳＰ５において正常紙幣であると判定された場合、制御部１２はステップＳＰ６へ移り、図８に示すように当該正常紙幣ＢＬｂを鑑別部１８から一時保留部２０へ搬送して保持させ、次のステップＳＰ７へ移る。
【００６２】
ステップＳＰ７において制御部１２は、保留部センサから通知された検出結果に基づき紙幣の枚数の計数を行って正常紙幣カウンタを１だけ加算し、次のステップＳＰ１３へ移る。
【００６３】
一方ステップＳＰ５において異常紙幣であると判定された場合、制御部１２はステップＳＰ８へ移り、紙幣入出金部１６からの紙幣の繰り出しを停止させ、次のステップＳＰ９へ移る。
【００６４】
ステップＳＰ９において制御部１２は、図８に示すように、鑑別部１８において異常紙幣ＢＬｃと判定された紙幣と、搬送部２４上に搬送されており当該鑑別部１８において未だ鑑別されていない後続紙幣と（以下ではまとめて異常紙幣ＢＬｃとも呼ぶ）を一時保留部２０へ搬送して保持させ、次のステップＳＰ１０へ移る。
【００６５】
ステップＳＰ１０において制御部１２は、紙幣入出金部１６を繰出状態から集積状態に移行させ、図８に示すように、一時保留部２０に保持した異常紙幣ＢＬｃを紙幣入出金部１６へ搬送し、次のステップＳＰ１１へ移る。
【００６６】
ステップＳＰ１１において制御部１２は、リトライカウンタを１だけ加算し、次のステップＳＰ１２へ移る。
【００６７】
ステップＳＰ１２において制御部１２は、リトライカウンタがリトライ限度回数より小さいか否かを判定する。
【００６８】
リトライ限度回数とは、予め設定された、鑑別部１８において異常紙幣が検出された後に鑑別動作を再開する回数（リトライ回数）の最大値を示している。
【００６９】
ステップＳＰ１２において肯定結果が得られると、このことはリトライカウンタがリトライ限度回数に達していないため、この後も引き続き鑑別動作を行うことを表し、このとき制御部１２はステップＳＰ１３へ移る。
【００７０】
ステップＳＰ１３において制御部１２は、紙幣入出金部１６から紙幣を投入紙幣カウンタ分だけ繰り出したか否かを判定する。
【００７１】
ステップＳＰ１３において否定結果が得られると、このことはこの後も引き続き鑑別動作を行うことを表し、このとき制御部１２はステップＳＰ４へ戻り、紙幣入出金部１６からの紙幣の繰り出しを続行する。
【００７２】
一方ステップＳＰ１２において否定結果が得られると、このことはリトライカウンタがリトライ限度回数に達したため、これ以上は鑑別動作を行わないことを表し、このとき制御部１２はステップＳＰ１４へ移る。
【００７３】
また、ステップＳＰ１３において否定結果が得られると、このことは紙幣入出金部１６から紙幣を投入紙幣カウンタ分だけ繰り出したため、紙幣入出金部１６に投入された紙幣の全てを一通り鑑別したことを意味し、このとき制御部１２はステップＳＰ１４へ移る。
【００７４】
ステップＳＰ１４において制御部１２は、投入紙幣カウンタから正常紙幣カウンタを減算することにより、異常紙幣の枚数を算出し、次のステップＳＰ１５へ移る。
【００７５】
ステップＳＰ１５において制御部１２は、今回の入金処理における正常紙幣及び異常紙幣の枚数を、操作表示部６を介して顧客へ報告し、次のステップＳＰ１６へ移る。
【００７６】
制御部１２は、ステップＳＰ１６において、紙幣入出金部１６に集積された異常紙幣を顧客に返却して、ステップＳＰ１７において、一時保留部２０に保持している正常紙幣を紙幣カセット２６へ搬送し、ステップＳＰ１８へ移り、入金処理手順ＲＴ１を終了する。
【００７７】
因みに投入紙幣が全て正常紙幣であった場合、制御部１２は、ステップＳＰ１３において肯定結果を得て、ステップＳＰ１４において異常紙幣枚数として０枚を算出し、ステップＳＰ１５において正常紙幣の枚数のみを顧客へ報告し、ステップＳＰ１６において異常紙幣の返却を行わず、ステップＳＰ１７において正常紙幣の搬送を行い、ステップＳＰ１８へ移り入金処理手順ＲＴ１を終了する。
【００７８】
［１−４．動作及び効果］
以上の構成において紙幣入出金機１０は、まず鑑別を行わずに投入紙幣枚数を計数する。その後紙幣入出金機１０は、鑑別部１８により鑑別を行い、正常紙幣を一時保留部２０へ搬送して枚数を計数すると共に、異常紙幣を一時保留部２０を介して紙幣入出金部１６へ搬送して集積させる。
【００７９】
紙幣入出金部１６に収容された投入紙幣の鑑別を一通り行った後、紙幣入出金機１０は、投入紙幣枚数から正常紙幣枚数を減算することにより、異常紙幣枚数を算出する。
【００８０】
ここで、異常紙幣は、複数枚が重なり重送してしまっている場合等があるため、鑑別部１８により異常と判定された紙幣の枚数を単純に計数した場合、紙幣入出金機１０は、正確に異常紙幣枚数を把握できない可能性がある。
【００８１】
これに対し紙幣入出金機１０においては、１枚ずつ正確に計数できる正常紙幣枚数を用いるため、正確に異常紙幣枚数を算出でき、顧客トラブルを防止できる。
【００８２】
また紙幣入出金機１０においては、紙幣の鑑別動作を行う前に、投入紙幣枚数を計数するというシンプルな動作を行うだけで、その後の鑑別動作において正確に異常紙幣枚数を算出できる。
【００８３】
ここで、分離繰り出しする紙幣と集積する紙幣とを物理的に分離する仕切板が設けられた紙幣入出金部を有する紙幣入出金機の場合、投入紙幣枚数を計数することなく、投入紙幣を鑑別部により鑑別し、正常紙幣を一時保留部に保持させる一方、異常紙幣を紙幣入出金部へ集積する。
【００８４】
紙幣入出金部において異常紙幣は、繰り出される紙幣とは仕切板で物理的に分離されているため、一体になることはない。このため紙幣入出金機１０は、紙幣入出金部１６から繰り出す紙幣と、当該紙幣入出金部１６に集積する紙幣とを物理的に分離して管理できるため、異常紙幣枚数を正確に把握できる。
【００８５】
これに対し本実施の形態による紙幣入出金部１６は、分離繰り出しする紙幣と集積する紙幣とを物理的に分離する仕切板を設けないことにより、部材を簡略化しコストダウンができる。紙幣入出金部１６では繰り出す紙幣の上に異常紙幣が接触して集積されるため、紙幣入出金機１０は、紙幣入出金部１６から繰り出す紙幣と、当該紙幣入出金部１６に集積する紙幣とを物理的に分離して管理していない。このため紙幣入出金機１０は、異常紙幣枚数を正確に把握できない可能性がある。
【００８６】
これに対し本実施の形態による紙幣入出金機１０は、まず投入紙幣枚数を確定し、その後１枚ずつ正確に計数できる正常紙幣を投入紙幣枚数から減算することにより、正確に異常紙幣枚数を算出することができる。
【００８７】
以上の構成によれば紙幣入出金機１０は、繰り出される紙幣と集積される紙幣とを分別せず収容する紙幣入出金部１６から全ての紙幣を繰り出して鑑別部１８を介し一時保留部２０へ搬送した後に紙幣入出金部１６へ搬送することにより、紙幣入出金部１６から繰り出された紙幣の総数である投入紙幣枚数を計数する投入媒体計数部と、紙幣入出金部１６から紙幣を再び投入紙幣枚数分だけ繰り出して鑑別部１８へ搬送し、当該鑑別部１８において異常と鑑別された異常紙幣を後続紙幣と共に紙幣入出金部１６へ搬送する一方、当該鑑別部１８により正常と鑑別された正常紙幣を一時保留部２０へ搬送し保持させ、当該正常紙幣の総数である正常紙幣枚数を計数する正常媒体計数部と、投入紙幣枚数から正常紙幣枚数を減算し、異常紙幣の枚数である異常紙幣枚数を算出する異常媒体枚数算出部として制御部１２を機能させるようにした。
【００８８】
これにより紙幣入出金機１０は、紙幣入出金部１６において繰り出す紙幣と集積する紙幣とを分別せず収容する場合であっても、紙幣の鑑別動作を行う前に、投入紙幣枚数を計数するというシンプルな動作を行うだけで、その後の鑑別動作において正確に異常紙幣枚数を算出できる。
【００８９】
［２．第２の実施の形態］
［２−１．紙幣入出金機の構成］
図１に示すように、第２の実施の形態による現金自動取引装置１０１は、第１の実施の形態による現金自動取引装置１と比べて、紙幣入出金機１１０が紙幣入出金機１０と異なっているものの、それ以外は同様に構成されている。
【００９０】
図３に示すように、紙幣入出金機１１０は紙幣入出金機１０と比べて制御部１１２が制御部１２と異なっているものの、それ以外は同様に構成されている。
【００９１】
［２−２．入金処理］
紙幣入出金機１１０の制御部１１２は、顧客が紙幣を入金する入金取引を行う場合、操作表示部６を介して所定の操作入力を受け付けた後、入出金口５のシャッタ３０を開いて紙幣収容部３２内へ紙幣を投入させる。
【００９２】
制御部１１２は、記憶部１４から入金処理プログラムを読み出して実行することにより、図９及び図１０に示す入金処理手順ＲＴ２を開始し、ステップＳＰ２１へ移る。
【００９３】
ステップＳＰ２１において制御部１１２は、異常紙幣カウンタ及びリトライカウンタを"０"で初期化し、次のステップＳＰ２２へ移る。ここで異常紙幣カウンタは、鑑別部１８で異常紙幣と鑑別された紙幣の枚数を示している。
【００９４】
ステップＳＰ２２において制御部１１２は、紙幣入出金部１６から１枚ずつ紙幣を連続分離により鑑別部１８へ搬送して鑑別処理を行うことにより正常紙幣か異常紙幣かを判定し、次のステップＳＰ２３へ移る。
【００９５】
ステップＳＰ２３において正常紙幣であると判定された場合、制御部１１２はステップＳＰ２４へ移り、図１１に示すように当該正常紙幣ＢＬｂを鑑別部１８から一時保留部２０へ搬送して保持させ、次のステップＳＰ３０へ移る。
【００９６】
一方ステップＳＰ２３において異常紙幣であると判定された場合、制御部１１２はステップＳＰ２５へ移る。ステップＳＰ２５からステップＳＰ２９まで、制御部１１２は上述した第１の実施の形態による入金処理手順ＲＴ１（図６）におけるステップＳＰ８からステップＳＰ１２までと同様の処理を行う。
【００９７】
これにより制御部１１２は、図１１に示すように、鑑別部１８において異常紙幣ＢＬｃと判定された紙幣と、搬送部２４上に搬送されており当該鑑別部１８において未だ鑑別されていない後続紙幣と（以下ではまとめて異常紙幣ＢＬｃとも呼ぶ）を一時保留部２０へ搬送して保持させた後、紙幣入出金部１６へ搬送し、次のステップＳＰ３０へ移る。
【００９８】
ステップＳＰ３０において制御部１１２は、紙幣入出金部１６の紙幣検出センサから通知された検出結果に基づき、当該紙幣入出金部１６の紙幣全てを繰り出したか否かを判定する。
【００９９】
ステップＳＰ３０において否定結果が得られると、このことはこの後も引き続き鑑別動作を行うことを表し、このとき制御部１１２はステップＳＰ２２へ戻り、紙幣入出金部１６からの紙幣の繰り出しを続行する。
【０１００】
一方ステップＳＰ３０において肯定結果が得られると、このことは紙幣入出金部１６から紙幣を全て繰り出したため、紙幣入出金部１６に投入された紙幣の全てを一通り鑑別したことを意味し、このとき制御部１１２はステップＳＰ３１へ移る。
【０１０１】
この状態において、正常紙幣は一時保留部２０に保持され、異常紙幣は紙幣入出金部１６に集積されている。このため制御部１１２は後述する処理を行い、紙幣入出金部１６に集積された異常紙幣を計数する。
【０１０２】
ステップＳＰ３１において制御部１１２は、紙幣入出金部１６を繰出状態に移行させ、当該紙幣入出金部１６に集積された異常紙幣ＢＬｃの全てを、図１２に示すように鑑別部１８を経由して一時保留部２０へ搬送する。
【０１０３】
ステップＳＰ３２において制御部１１２は、紙幣入出金部１６を繰出状態から集積状態に移行させ、一時保留部２０に保持した全ての異常紙幣ＢＬｃを図１２に示すように紙幣入出金部１６へ搬送する。このとき制御部１１２は、集積口センサから通知された検出結果に基づき紙幣の枚数の計数を行い、異常紙幣カウンタを設定し、次のステップＳＰ３３へ移る。
【０１０４】
ステップＳＰ３３からステップＳＰ３６まで、制御部１１２は第１の実施の形態による入金処理手順ＲＴ１（図６）におけるステップＳＰ１５からステップＳＰ１８までと同様の処理を行い、入金処理手順ＲＴ２を終了する。
【０１０５】
因みに投入紙幣が全て正常紙幣であった場合、制御部１１２は、ステップＳＰ３０において肯定結果を得て、ステップＳＰ３１及びＳＰ３２の処理は行わず、ステップＳＰ３３において正常紙幣の枚数のみを顧客へ報告し、ステップＳＰ３４において異常紙幣の返却を行わず、ステップＳＰ３５において正常紙幣の搬送を行い、ステップＳＰ３６へ移り入金処理手順ＲＴ２を終了する。
【０１０６】
［２−３．動作及び効果］
以上の構成において紙幣入出金機１１０は、紙幣入出金部１６に投入された紙幣を鑑別部１８により鑑別を行い、正常紙幣を一時保留部２０へ搬送すると共に、異常紙幣を一時保留部２０を介して紙幣入出金部１６へ搬送して集積させる。
【０１０７】
投入紙幣の鑑別を一通り行った後、紙幣入出金機１１０は、紙幣入出金部１６に集積された異常紙幣を、一時保留部２０を介して紙幣入出金部１６へ搬送して集積させ、異常紙幣枚数を計数する。
【０１０８】
このように、上述した第１の実施の形態による紙幣入出金機１０では、まず投入紙幣全てを計数し、さらに正常紙幣を計数する必要があったが、本実施の形態による紙幣入出金機１１０では、正常紙幣が除かれ紙幣入出金部１６に集積された異常紙幣の枚数のみを計数するようにした。
【０１０９】
これにより紙幣入出金機１１０は、紙幣入出金機１０と比べて、紙幣入出金部１６に集積された異常紙幣の枚数が、投入紙幣の枚数よりも減っている可能性が高いため、異常紙幣枚数を確定する動作の処理に要する時間を短縮できる。
【０１１０】
以上の構成によれば紙幣入出金機１１０は、繰り出される紙幣と集積される紙幣とを分別せず収容する紙幣入出金部１６から全ての紙幣を繰り出して鑑別部１８へ搬送し、当該鑑別部１８において異常と鑑別された異常紙幣を後続紙幣と共に紙幣入出金部１６へ搬送する一方、当該鑑別部１８により正常と鑑別された正常紙幣を一時保留部２０へ搬送し保持させる媒体分別搬送部と、紙幣入出金部１６から全ての異常紙幣を繰り出して一時保留部２０へ搬送した後に紙幣入出金部１６へ搬送し、当該異常紙幣の総数である異常紙幣枚数を計数する異常媒体計数部として制御部１１２を機能させるようにした。
【０１１１】
これにより紙幣入出金機１１０は、紙幣入出金部１６において繰り出す紙幣と集積する紙幣とを分別せず収容する場合であっても、短時間で正確に異常紙幣枚数を算出できる。
【０１１２】
［３．第３の実施の形態］
［３−１．紙幣入出金機の構成］
図１に示すように、第３の実施の形態による現金自動取引装置２０１は、第１の実施の形態による現金自動取引装置１と比べて、紙幣入出金機２１０が紙幣入出金機１０と異なっているものの、それ以外は同様に構成されている。
【０１１３】
図３に示すように、紙幣入出金機２１０は紙幣入出金機１０と比べて制御部２１２が制御部１２と異なっているものの、それ以外は同様に構成されている。
【０１１４】
［３−２．入金処理］
制御部２１２は、入金処理手順ＲＴ２（図９及び図１０）におけるステップＳＰ２１からステップＳＰ３２までと同様の処理を行った後、図１３及び図１４に示す入金処理手順ＲＴ３を開始し、ステップＳＰ４１へ移る。
【０１１５】
ここで、制御部２１２が入金処理手順ＲＴ２におけるステップＳＰ３２までの処理を行った際、異常紙幣として紙幣入出金部１６に集積した紙幣に、実際には正常な紙幣が含まれている可能性あるため、制御部２１２は以下の処理を行うことにより、異常紙幣として紙幣入出金部１６に集積した紙幣から、実際には正常である紙幣を取り除く。
【０１１６】
ステップＳＰ４１において制御部２１２は、正常紙幣カウンタ及びリトライカウンタを"０"で初期化し、次のステップＳＰ４２へ移る。
【０１１７】
ステップＳＰ４２において制御部２１２は、紙幣入出金部１６から１枚ずつ紙幣を間欠分離により鑑別部１８へ搬送して鑑別処理を行うことにより正常紙幣か異常紙幣かを判定し、次のステップＳＰ４３へ移る。
【０１１８】
ここで、間欠分離とは、先行する紙幣が鑑別部１８により鑑別された後に、紙幣収容部３２に存在する紙幣を紙幣入出金部１６が１枚ずつ分離して搬送部２４へ繰り出すことを示している。
【０１１９】
このため間欠分離においては、紙幣入出金部１６から繰り出された紙幣が鑑別部１８により鑑別されたとき、鑑別部１８と紙幣入出金部１６との間の搬送部２４上には後続紙幣が存在しないことになる。
【０１２０】
ステップＳＰ４３からステップＳＰ４６まで、制御部２１２は第１の実施の形態による入金処理手順ＲＴ１（図５及び図６）におけるステップＳＰ５からステップＳＰ８までと同様の処理を行い、図１５に示すように正常紙幣ＢＬｂを一時保留部２０へ搬送してステップＳＰ４７へ移る。
【０１２１】
ステップＳＰ４７において制御部２１２は、図１５に示すように、紙幣入出金部１６を繰出状態から集積状態に移行させて、一時保留部２０へ搬送することなく異常紙幣ＢＬｃを紙幣入出金部１６へ搬送し、次のステップＳＰ４８へ移る。
【０１２２】
ステップＳＰ４８とステップＳＰ４９において、制御部２１２は入金処理手順ＲＴ１（図６）におけるステップＳＰ１１及びステップＳＰ１２までと同様の処理を行い、ステップＳＰ５０へ移る。
【０１２３】
ステップＳＰ５０において制御部２１２は、紙幣入出金部１６から紙幣をステップＳＰ３２（図１０）において設定した異常紙幣カウンタ分だけ繰り出したか否かを判定する。
【０１２４】
ステップＳＰ５０において否定結果が得られると、このことはこの後も引き続き鑑別動作を行うことを表し、このとき制御部２１２はステップＳＰ４２へ戻り、紙幣入出金部１６からの紙幣の繰り出しを続行する。
【０１２５】
一方ステップＳＰ５０において肯定結果が得られると、このことは紙幣入出金部１６から紙幣を全て繰り出したため紙幣入出金部１６に集積された異常紙幣の全てを一通り鑑別したとみなし、このとき制御部２１２はステップＳＰ５１へ移る。
【０１２６】
ステップＳＰ５１において制御部２１２は、ステップＳＰ３２（図１０）において設定した異常紙幣カウンタからステップＳＰ４５において設定した正常紙幣カウンタを減算することにより、間欠分離により鑑別動作を行った際の異常紙幣の枚数を示す間欠分離後異常紙幣の枚数を算出し、次のステップＳＰ５２へ移る。
【０１２７】
ステップＳＰ５２からステップＳＰ５５まで、制御部２１２は第１の実施の形態による入金処理手順ＲＴ１（図６）におけるステップＳＰ１５からステップＳＰ１８までと同様の処理を行い、入金処理手順ＲＴ３を終了する。
【０１２８】
ここで制御部２１２は、ステップＳＰ５２において、今回の入金処理における正常紙幣及び間欠分離後異常紙幣の枚数を顧客へ報告し、ステップＳＰ５３において、紙幣入出金部１６に集積された間欠分離後異常紙幣を顧客に返却する。
【０１２９】
またステップＳＰ５４において制御部２１２は、第２の実施の形態による入金処理手順ＲＴ２（図１０）におけるステップＳＰ３２において異常紙幣として紙幣入出金部１６に搬送された紙幣であっても、その後の入金処理手順ＲＴ３のステップＳＰ４３においては正常紙幣と判定され一時保留部２０に保持された紙幣は、実際には正常紙幣であったと判断し、当該正常紙幣を紙幣カセット２６へ搬送する。
【０１３０】
［３−３．動作及び効果］
以上の構成において紙幣入出金機２１０は、紙幣入出金部１６に投入された紙幣を鑑別部１８により鑑別を行い、正常紙幣を一時保留部２０へ搬送して枚数を計数すると共に、後続紙幣を含む異常紙幣を一時保留部２０を介して紙幣入出金部１６へ搬送して集積させる。
【０１３１】
投入紙幣の鑑別を一通り行った後、紙幣入出金機２１０は、紙幣入出金部１６に集積された異常紙幣を、一時保留部２０を介して紙幣入出金部１６へ搬送して集積させ、異常紙幣枚数を計数する。
【０１３２】
ここで、鑑別動作を行う際、異常紙幣と鑑別された紙幣の後続紙幣も異常紙幣とみなし、紙幣入出金部１６へ搬送するため、当該後続紙幣が実際には正常紙幣である場合であっても、異常紙幣として紙幣入出金部１６へ搬送されてしまう可能性があった。
【０１３３】
これに対し紙幣入出金機２１０は、紙幣入出金部１６に集積された、正常紙幣を含む可能性がある異常紙幣を、間欠分離により１枚ずつ搬送し、鑑別動作を行うようにした。
【０１３４】
間欠分離においては、紙幣入出金部１６から繰り出された紙幣が鑑別部１８により鑑別されたとき、鑑別部１８と紙幣入出金部１６との間の搬送部２４上には後続紙幣が存在しないため、鑑別部１８で異常紙幣が検出された場合、正常紙幣の可能性がある後続紙幣を異常紙幣と共に紙幣入出金部１６に戻してしまうことを防ぐことができる。
【０１３５】
このため紙幣入出金機２１０は、鑑別動作を行った結果紙幣入出金部１６に集積された紙幣に、正常紙幣が含まれてしまっている場合であっても、当該正常紙幣を異常紙幣から取り除くことができるため、異常紙幣の枚数をさらに正確に把握することができる。
【０１３６】
以上の構成によれば紙幣入出金機２１０は、繰り出される紙幣と集積される紙幣とを分別せず収容する紙幣入出金部１６から全ての紙幣を繰り出して鑑別部１８へ搬送し、当該鑑別部１８において異常と鑑別された異常紙幣を後続紙幣と共に紙幣入出金部１６へ搬送する一方、当該鑑別部１８により正常と鑑別された正常紙幣を一時保留部２０へ搬送し保持させる媒体分別搬送部と、紙幣入出金部１６から全ての異常紙幣を繰り出して一時保留部２０へ搬送した後に紙幣入出金部１６へ搬送し、当該異常紙幣の総数である異常紙幣枚数を計数する異常媒体計数部として制御部２１２を機能させる。
【０１３７】
また紙幣入出金機２１０は、異常媒体計数部により計数された異常紙幣を、先行する異常紙幣が鑑別部１８により鑑別された後に後続の異常紙幣を繰り出す間欠分離により紙幣入出金部１６から異常紙幣枚数分だけ繰り出して鑑別部１８へ搬送し、当該鑑別部１８において異常と鑑別された間欠分離後異常紙幣を紙幣入出金部１６へ搬送する一方、当該鑑別部１８により正常と鑑別された間欠分離後正常紙幣を一時保留部２０へ搬送し保持させ、当該間欠分離後正常紙幣の総数である間欠分離後正常紙幣枚数を計数する間欠分離後正常媒体計数部と、異常紙幣枚数から間欠分離後正常紙幣枚数を減算し、間欠分離後異常紙幣枚数を算出する間欠分離後異常媒体枚数算出部として制御部２１２を機能させるようにした。
【０１３８】
これにより紙幣入出金機２１０は、紙幣入出金部１６において繰り出す紙幣と集積する紙幣とを分別せず収容する場合であっても、より正確に異常紙幣枚数を算出できる。
【０１３９】
［４．第４の実施の形態］
［４−１．紙幣入出金機の構成］
図１に示すように、第４の実施の形態による現金自動取引装置３０１は、第１の実施の形態による現金自動取引装置１と比べて、紙幣入出金機３１０が紙幣入出金機１０と異なっているものの、それ以外は同様に構成されている。
【０１４０】
図３に示すように、紙幣入出金機３１０は、紙幣入出金機１０と比べて、制御部３１２が制御部１２と異なっているものの、それ以外は同様に構成されている。
【０１４１】
［４−２．入金処理］
紙幣入出金機３１０の制御部３１２は、顧客が紙幣を入金する入金取引を行う場合、操作表示部６を介して所定の操作入力を受け付けた後、入出金口５のシャッタ３０を開いて紙幣収容部３２内へ紙幣を投入させる。
【０１４２】
制御部３１２は、記憶部１４から入金処理プログラムを読み出して実行することにより、図１６に示す入金処理手順ＲＴ４を開始し、ステップＳＰ６１へ移る。
【０１４３】
ステップＳＰ６１において制御部３１２は、紙幣入出金部１６から１枚ずつ紙幣を連続分離により鑑別部１８へ搬送して鑑別処理を行うことにより正常紙幣か異常紙幣かを判定し、次のステップＳＰ６２へ移る。
【０１４４】
ステップＳＰ６２において正常紙幣であると判定された場合、制御部３１２はステップＳＰ６３へ移り、図１７に示すように当該正常紙幣ＢＬｂを鑑別部１８から一時保留部２０へ搬送して保持させ、次のステップＳＰ６４へ移る。
【０１４５】
ステップＳＰ６４において制御部３１２は、紙幣入出金部１６の紙幣検出センサから通知された検出結果に基づき、当該紙幣入出金部１６の紙幣全てを繰り出したか否かを判定する。
【０１４６】
ステップＳＰ６４において否定結果が得られると、このことはこの後も引き続き鑑別動作を行うことを表し、このとき制御部３１２はステップＳＰ６１へ戻り、紙幣入出金部１６からの紙幣の繰り出しを続行する。
【０１４７】
一方ステップＳＰ６４において肯定結果が得られると、このことは、紙幣入出金部１６から紙幣を全て繰り出し、且つ投入紙幣は全て正常紙幣であったことを表しているため、制御部３１２はステップＳＰ６５へ移り、今回の入金処理における正常紙幣の枚数を操作表示部６を介して顧客へ報告し、次のステップＳＰ６６へ移り一時保留部２０に保持している正常紙幣を紙幣カセット２６へ搬送し、ステップＳＰ６７へ移り、入金処理手順ＲＴ４を終了する。
【０１４８】
一方ステップＳＰ６２において異常紙幣であると判定された場合、制御部４１２はステップＳＰ６８へ移り紙幣入出金部１６からの紙幣の繰り出しを停止させ、次のステップＳＰ６９へ移り、紙幣入出金部１６を繰出状態から集積状態に移行させて、一時保留部２０へ搬送することなく異常紙幣ＢＬｃ１を紙幣入出金部１６へ搬送し、次のステップＳＰ７０へ移り、第１の実施の形態による入金処理手順ＲＴ１（図５）におけるステップＳＰ１に入る。
【０１４９】
［４−３．動作及び効果］
以上の構成において紙幣入出金機３１０は、鑑別部１８により鑑別を行い、異常紙幣を検出するまでは、正常紙幣を一時保留部２０へ搬送する。
【０１５０】
最初の（１枚目の）異常紙幣ＢＬｃ１を検出すると、紙幣入出金機３１０は当該異常紙幣ＢＬｃ１を紙幣入出金部１６へ戻して入金処理手順ＲＴ１へ移り、ステップＳＰ２において、投入紙幣の内、最初の異常紙幣ＢＬｃ１が検出されるまでの正常紙幣の枚数が除かれた紙幣入出金部１６内の紙幣を計数し、以降の処理を行う。
【０１５１】
このためステップＳＰ２において設定される投入紙幣カウンタは、紙幣入出金部１６に投入された紙幣から、最初の異常紙幣が検出されるまでの正常紙幣を除いた枚数となる。
【０１５２】
これにより紙幣入出金機３１０は、紙幣入出金部１６の紙幣の総数を計数する際の紙幣枚数を減らすことができると共に、その後の処理において正常紙幣と異常紙幣を鑑別する際の正常枚数の計数枚数を減らすことができ、処理を簡略化させることができる。
【０１５３】
以上の構成によれば紙幣入出金機３１０は、繰り出される紙幣と集積される紙幣とを分別せず収容する紙幣入出金部１６から媒体を繰り出して鑑別部１８へ搬送し、当該鑑別部１８により正常と鑑別された正常媒体を一時保留部２０へ搬送し保持させる一方、当該鑑別部１８において異常と鑑別された紙幣を紙幣入出金部１６へ搬送して紙幣入出金部１６からの紙幣の繰り出しを中止する正常媒体除去搬送部と、正常媒体除去搬送部により投入紙幣から正常紙幣が除かれた全ての紙幣を紙幣入出金部１６から繰り出して鑑別部１８を介し一時保留部２０へ搬送した後に紙幣入出金部１６へ搬送することにより、紙幣入出金部１６から繰り出された紙幣の総数である繰出紙幣枚数を計数する繰出媒体計数部と、紙幣入出金部１６から紙幣を再び繰出紙幣枚数分だけ繰り出して鑑別部１８へ搬送し、当該鑑別部１８において異常と鑑別された異常紙幣を後続紙幣と共に紙幣入出金部１６へ搬送する一方、当該鑑別部１８により正常と鑑別された正常紙幣を一時保留部２０へ搬送し保持させ、当該正常紙幣の総数である正常紙幣枚数を計数する正常媒体計数部と、繰出紙幣枚数から正常紙幣枚数を減算し、異常紙幣の枚数である異常紙幣枚数を算出する異常媒体枚数算出部として制御部３１２を機能させるようにした。
【０１５４】
これにより紙幣入出金機３１０は、紙幣入出金部１６において繰り出す紙幣と集積する紙幣とを分別せず収容する場合であっても、紙幣の鑑別動作を行う前における繰出紙幣枚数を計数する時間を短縮でき、短時間で正確に異常紙幣枚数を算出できる。
【０１５５】
［５．第５の実施の形態］
［５−１．紙幣入出金機の構成］
図１に示すように、第５の実施の形態による現金自動取引装置４０１は、第１の実施の形態による現金自動取引装置１と比べて、紙幣入出金機４１０が紙幣入出金機１０と異なっているものの、それ以外は同様に構成されている。
【０１５６】
図３に示すように、紙幣入出金機４１０は、紙幣入出金機１０と比べて、制御部４１２が制御部１２と異なっているものの、それ以外は同様に構成されている。
【０１５７】
［５−２．入金処理］
紙幣入出金機４１０の制御部４１２は、顧客が紙幣を入金する入金取引を行う場合、操作表示部６を介して所定の操作入力を受け付けた後、入出金口５のシャッタ３０を開いて紙幣収容部３２内へ紙幣を投入させる。
【０１５８】
制御部４１２は、記憶部１４から入金処理プログラムを読み出して実行することにより、図１８及び図１９に示す入金処理手順ＲＴ５を開始し、ステップＳＰ７１へ移る。
【０１５９】
ステップＳＰ７１からステップＳＰ８０まで、制御部４１２は第２の実施の形態による入金処理手順ＲＴ２（図９及び図１０）におけるステップＳＰ２１からステップＳＰ３０までと同様の処理を行い、ステップＳＰ８１へ移る。
【０１６０】
この状態において、正常紙幣は一時保留部２０に保持され、異常紙幣は紙幣入出金部１６に集積されている。このため制御部４１２は後述する処理を行い、紙幣入出金部１６に集積された異常紙幣を計数する。
【０１６１】
ステップＳＰ８１において制御部４１２は、紙幣入出金部１６から紙幣を連続分離により鑑別部１８へ例えば３枚搬送し、次のステップＳＰ８２へ移る。
【０１６２】
ステップＳＰ８２において制御部４１２は、紙幣に印刷された記番号を鑑別部１８において読み取り、記憶部１４に記憶させ、次のステップＳＰ８３へ移り、読み取った記番号が既に記憶部１４に記憶されているか否かを判定する。因みに、３枚の異常紙幣の内の先頭の異常紙幣が鑑別部１８を通過する際、後続の２枚の異常紙幣は、鑑別部１８と紙幣入出金部１６との間の搬送部２４上に存在している。
【０１６３】
ステップＳＰ８３において否定結果が得られると、このことは、読み取った記番号はまだ記憶部１４には記憶されていないものであること（すなわち、異常紙幣枚数の計数を開始してから、その紙幣が初めて鑑別部１８を通過したこと）を表しており、このとき制御部４１２はステップＳＰ８４へ戻り、読み取った記番号を記憶部１４に追加して記憶させ、次のステップＳＰ８５へ移る。
【０１６４】
ステップＳＰ８５において制御部４１２は、異常紙幣カウンタを１だけ加算し、次のステップＳＰ８６へ移る。これにより、３枚の異常紙幣が鑑別部１８を通過すると、異常紙幣カウンタは３だけ加算されることとなる。
【０１６５】
ステップＳＰ８６において制御部４１２は、紙幣入出金部１６を繰出状態から集積状態に移行させ、一時保留部２０を介さずに、３枚の異常紙幣を紙幣入出金部１６へ搬送し、ステップＳＰ８１へ戻り、紙幣入出金部１６からの異常紙幣の繰り出しを３枚ずつ続行する。
【０１６６】
一方ステップＳＰ８３において肯定結果が得られると、このことは、読み取った記番号が既に記憶部１４に記憶されているため、異常紙幣の全てを一通り計数したことを意味し、このとき制御部４１２はステップＳＰ８７へ移る。
【０１６７】
ステップＳＰ８７において制御部４１２は、既に記憶部１４に記憶された記番号と同一の記番号を有する異常紙幣を含む、搬送部２４上の３枚の異常紙幣全てを、一時保留部２０を介さずに紙幣入出金部１６へ戻す。
【０１６８】
ステップＳＰ８８において制御部４１２は、今回の入金処理における正常紙幣及び異常紙幣（異常紙幣カウンタに設定された数値）の枚数を、操作表示部６を介して顧客へ報告し、次のステップＳＰ８９へ移る。
【０１６９】
制御部４１２は、ステップＳＰ８９において紙幣入出金部１６に集積された異常紙幣を顧客に返却して、ステップＳＰ９０において一時保留部２０に保持している正常紙幣を紙幣カセット２６へ搬送し、ステップＳＰ９１へ移り、入金処理手順ＲＴ４を終了する。
【０１７０】
［５−３．動作及び効果］
以上の構成において紙幣入出金機４１０は、紙幣入出金部１６に投入された紙幣を鑑別部１８により鑑別を行い、正常紙幣を一時保留部２０へ搬送すると共に、異常紙幣を一時保留部２０を介して紙幣入出金部１６へ搬送して集積させる。
【０１７１】
投入紙幣の鑑別を一通り行った後、紙幣入出金機４１０は、紙幣入出金部１６に集積された異常紙幣を、鑑別部１８により記番号を読み取りながら一時保留部２０を介さずに紙幣入出金部１６へ戻す。
【０１７２】
紙幣入出金機４１０は、鑑別部１８により、既に記番号を読み取った紙幣（すなわち異常紙幣として既にカウントした紙幣）を検出した場合、紙幣入出金部１６の全ての異常紙幣を計数したとみなし、異常紙幣カウンタを異常紙幣枚数として設定する。
【０１７３】
これにより紙幣入出金機４１０は、鑑別部１８により記番号を読み取るという処理を行うだけで、一時保留部２０に異常紙幣を一旦保留することなく、異常紙幣の枚数を確定できる。
【０１７４】
以上の構成によれば紙幣入出金機４１０は、繰り出される紙幣と集積される紙幣とを分別せず収容する紙幣入出金部１６から全ての紙幣を繰り出して鑑別部１８へ搬送し、当該鑑別部１８において異常と鑑別された異常紙幣を後続紙幣と共に紙幣入出金部１６へ搬送する一方、当該鑑別部１８により正常と鑑別された正常媒体を一時保留部２０へ搬送し保持させる媒体分別搬送部として制御部４１２を機能させ、紙幣入出金部１６から異常紙幣を繰り返し繰り出して当該異常紙幣の記番号を読み取り当該異常紙幣を紙幣入出金部１６へ搬送する記番号読取部として制御部４１２及び鑑別部１８を機能させ、記番号読取部により読み取った記番号を記憶する記番号記憶部として制御部４１２及び記憶部１４を機能させ、記番号記憶部に記憶されている記番号と同一の記番号が記番号読取部により読み取られるまで、記番号読取部により紙幣の記番号を読み取る度に異常紙幣枚数を１ずつカウントする異常媒体計数部として制御部４１２を機能させるようにした。
【０１７５】
これにより紙幣入出金機４１０は、紙幣入出金部１６において繰り出す紙幣と集積する紙幣とを分別せず収容する場合であっても、同一の記番号が検出されるまで鑑別動作を行い、異常紙幣枚数をカウントするというシンプルな動作を行うだけで、正確に異常紙幣枚数を算出できる。
【０１７６】
［６．他の実施の形態］
なお本発明においては、上述した紙幣入出金部１６の構成に限らず、要は、分離繰り出しする紙幣と集積する紙幣とが分別されていない紙幣入出金部であれば良い。
【０１７７】
また上述した実施の形態においては、繰り出す紙幣と集積する紙幣とを分別せず収容する紙幣入出金部１６を有する紙幣入出金機について述べたが、本発明はこれに限らず、繰り出す紙幣と集積する紙幣とを分別して収容する紙幣入出金部を有する紙幣入出金機において本発明を適用しても良い。
【０１７８】
また、上述した第１乃至第５の実施の形態の入金処理を適宜繰り返したり、組み合わせたりしても良い。例えば、入金処理手順ＲＴ４を行った後に、入金処理手順ＲＴ１を行い、連続分離により鑑別処理を複数回繰り返し、さらにその後、入金処理手順ＲＴ３における間欠分離で鑑別処理を行うことにより、異常紙幣枚数を確定しても良い。この場合、より正確に異常紙幣枚数を計数できる。
【０１７９】
さらに上述した実施の形態においては、搬送部２４により搬送される紙幣を鑑別部１８、集積口センサ及び保留部センサの検出結果に基づき計数する場合について述べた。
【０１８０】
本発明はこれに限らず、搬送時に紙幣が通過する箇所に当該紙幣を検出するセンサを設け、当該センサの検出結果を基に紙幣の枚数を計数しても良い。
【０１８１】
さらに上述した第５の実施の形態においては、同一の記番号が印刷された紙幣を検知した場合、紙幣入出金部１６内の全ての異常紙幣を繰り出したと判定する場合について述べた。
【０１８２】
本発明はこれに限らず、例えば紙幣の破れや汚損等の特徴を鑑別部１８で読み取り、同一の特徴を有する紙幣を検知すると紙幣入出金部１６内の全ての異常紙幣を繰り出したと判定しても良い。
【０１８３】
さらに本発明においては、異常紙幣を顧客に返却することなく、リジェクト庫２８に搬送して格納させても良い。
【０１８４】
さらに上述した第１の実施の形態による入金処理手順ＲＴ１のステップＳＰ３において、集積口センサに限らず、鑑別部１８又は保留部センサにより投入紙幣を検出しても良い。
【０１８５】
さらに上述した第１の実施の形態による入金処理手順ＲＴ１のステップＳＰ７において、保留部センサに限らず、鑑別部１８により正常紙幣を検出しても良い。
【０１８６】
さらに上述した第３の実施の形態による入金処理手順ＲＴ３のステップＳＰ４７において、一時保留部２０を介して異常紙幣を紙幣入出金部１６へ搬送しても良い。
【０１８７】
さらに上述した第４の実施の形態による入金処理手順ＲＴ４においては、１枚目の異常紙幣が検出されるまで鑑別処理を行うようにしたが、本発明はこれに限らず、例えば２枚目等、任意の枚数だけ異常紙幣が検出されるまで鑑別処理を行なっても良い。
【０１８８】
さらに上述した第５の実施の形態による入金処理手順ＲＴ５のステップＳＰ７２において、異常紙幣の記番号を読み取って記憶し、ステップＳＰ８３において、読み取った記番号が既に記憶されているか判定しても良い。
【０１８９】
さらに上述した第５の実施の形態による入金処理手順ＲＴ５のステップＳＰ８１において、３枚ずつ連続分離で繰り出す場合に限らず、例えば１枚ずつや４枚以上ずつ等、任意の枚数ずつ繰り出して良い。
【０１９０】
さらに上述した第５の実施の形態による入金処理手順ＲＴ５のステップＳＰ８６において、一時保留部２０を介して異常紙幣を紙幣入出金部１６へ搬送しても良い。
【０１９１】
さらに上述した入金処理においては、鑑別部１８において異常紙幣を検出し紙幣の繰り出しを停止させた際、紙幣入出金部１６において、特開２０００−１５２７２２号公報の段落［００３５］に記載されているような紙幣分離戻しを行っても良い。
【０１９２】
さらに上述した入金処理手順ＲＴ１のステップＳＰ９及びＳＰ１０、入金処理手順ＲＴ２のステップＳＰ２６及びＳＰ２７、並びに入金処理手順ＲＴ５のステップＳＰ７６及びＳＰ７７においては、一時保留部２０へ異常紙幣を一旦搬送した後に紙幣入出金部１６へ搬送するようにした。
【０１９３】
本発明はこれに限らず、入金処理手順ＲＴ３のステップＳＰ４７のように、搬送路２４上に異常紙幣を停止させ、一時保留部２０へ搬送することなく紙幣入出金部１６へ搬送しても良い。
【０１９４】
さらに上述した入金処理手順ＲＴ１のステップＳＰ２及びＳＰ３、並びに入金処理手順ＲＴ２のステップＳＰ３１及びＳＰ３２においては、鑑別部１８及び一時保留部２０を介し紙幣入出金部１６へ紙幣を戻すことにより、紙幣入出金部１６内部の紙幣の枚数を計数するようにした。
【０１９５】
本発明はこれに限らず、例えば紙幣入出金部１６内部に紙幣束の厚みを計測するセンサを設け、当該センサの厚み検出結果を基に紙幣の枚数を算出しても良く、又は紙幣入出金部１６内部に紙幣束の重量を計測するセンサを設け、当該センサの重量検出結果を基に紙幣の枚数を算出しても良い。
【０１９６】
さらに上述した実施の形態においては、制御部１２により入金処理手順ＲＴ１を、制御部１１２により入金処理手順ＲＴ２を、制御部２１２により入金処理手順ＲＴ３を、制御部３１２により入金処理手順ＲＴ４を、制御部４１２により入金処理手順ＲＴ５をそれぞれ実行する場合について述べた。
【０１９７】
本発明はこれに限らず、例えば主制御部９により、或いは主制御部９と制御部１２、１１６、２１６、３１６及び４１６との協働により入金処理手順ＲＴ１、ＲＴ２、ＲＴ３、ＲＴ４及びＲＴ５を実行しても良い。
【０１９８】
さらに上述した実施の形態においては、記憶部１４に予め記憶させておいた入金処理プログラムを読み出して実行する場合について述べた。
【０１９９】
本発明はこれに限らず、例えばＵＳＢ（Universal Serial Bus）等のインタフェースやＩＥＥＥ(Institute of Electrical and Electronics Engineers)８０２．３ａｂ等のネットワーク、或いはＣＤ−ＲＯＭ（Compact Disc-Read Only Memory）等の外部記憶媒体を介して、外部から入金処理プログラムを取得して実行しても良い。
【０２００】
さらに上述した実施の形態においては、現金を取引する現金自動取引装置１乃至４０１において、媒体としての紙幣を内部で搬送し、鑑別部１８により鑑別し、一時保留部２０又は紙幣入出金部１６に搬送する場合について述べた。
【０２０１】
本発明はこれに限らず、例えば商品券や金券、入場券等のような薄い紙状の媒体を搬送し、その当該媒体を鑑別部１８により鑑別し、一時保留部２０又は紙幣入出金部１６に搬送する種々の装置に適用しても良い。
【０２０２】
また、例えば紙幣を入出する紙幣入出金機や紙幣を所定枚数毎に施封する施封小束支払機等、紙幣や硬貨の取引に関する種々の処理を行う複数種類の装置の組み合わせにより構成された現金処理装置に本発明を適用してもよい。
【０２０３】
さらに上述した実施の形態においては、入金取引及び出金取引を行う現金自動取引装置に本発明を適用する場合について述べたが、入金取引のみを行う装置に本発明を適用しても良い。
【０２０４】
さらに上述した第１の実施の形態においては、媒体収容部としての紙幣入出金部１６と、鑑別部としての鑑別部１８と、媒体保持部としての一時保留部２０と、投入媒体計数部としての制御部１２と、正常媒体計数部としての制御部１２と、異常媒体枚数算出部としての制御部１２とによって、媒体処理装置としての紙幣入出金機１０を構成する場合について述べた。
【０２０５】
本発明はこれに限らず、その他種々の構成でなる媒体収容部と、鑑別部と、媒体保持部と、投入媒体計数部と、正常媒体計数部と、異常媒体枚数算出部とによって媒体処理装置を構成しても良い。
【０２０６】
さらに上述した第２の実施の形態においては、媒体収容部としての紙幣入出金部１６と、鑑別部としての鑑別部１８と、媒体保持部としての一時保留部２０と、媒体分別搬送部としての制御部１１２と、異常媒体計数部としての制御部１１２とによって、媒体処理装置としての紙幣入出金機１１０を構成する場合について述べた。
【０２０７】
本発明はこれに限らず、その他種々の構成でなる媒体収容部と、鑑別部と、媒体保持部と、媒体分別搬送部と、異常媒体計数部とによって媒体処理装置を構成しても良い。
【０２０８】
さらに上述した第４の実施の形態においては、媒体収容部としての紙幣入出金部１６と、鑑別部としての鑑別部１８と、媒体保持部としての一時保留部２０と、正常媒体除去搬送部としての制御部３１２と、媒体分別搬送部としての制御部３１２と、異常媒体計数部としての制御部３１２とによって、媒体処理装置としての紙幣入出金機３１０を構成する場合について述べた。
【０２０９】
本発明はこれに限らず、その他種々の構成でなる媒体収容部と、鑑別部と、媒体保持部と、正常媒体除去搬送部と、媒体分別搬送部と、異常媒体計数部とによって媒体処理装置を構成しても良い。
【０２１０】
さらに上述した第５の実施の形態においては、媒体収容部としての紙幣入出金部１６と、鑑別部としての鑑別部１８と、媒体保持部としての一時保留部２０と、媒体分別搬送部としての制御部４１２と、記番号読取部としての制御部４１２及び鑑別部１８と、記番号記憶部としての制御部４１２及び記憶部１４と、異常媒体計数部としての制御部４１２とによって、媒体処理装置としての紙幣入出金機４１０を構成する場合について述べた。
【０２１１】
本発明はこれに限らず、その他種々の構成でなる媒体収容部と、鑑別部と、媒体保持部と、媒体分別搬送部と、記番号読取部と、記番号記憶部と、異常媒体計数部とによって媒体処理装置を構成しても良い。
【産業上の利用可能性】
【０２１２】
本発明は、正常な媒体と異常な媒体とを鑑別する種々の装置でも利用できる。
【符号の説明】
【０２１３】
１、１０１、２０１、３０１、４０１……現金自動取引装置、２……筐体、３……接客部、４……カード入出口、５……入出金口、６……操作表示部、７……テンキー、８……レシート発行口、９……主制御部、１０、１１０、２１０、３１０、４１０……紙幣入出金機、１２、１１２、２１２、３１２、４１２……制御部、１４……記憶部、１６……紙幣入出金部、１８……鑑別部、２０……一時保留部、２２……取忘れ回収庫、２４……搬送部、２６……紙幣カセット、２８……リジェクト庫、３０……シャッタ、３２……紙幣収容部、３４……ビルプレス、３６……プールガイド、３８……ピッカローラ、４０……フィードローラ、４２……分離ローラ、４４……集積ローラ、４６……繰出口、４８……集積口、５０……支持板、５２……舌片。
【図１】
2014157387.tif 000003
【図２】
2014157387.tif 000004
【図３】
2014157387.tif 000005
【図４】
2014157387.tif 000006
【図５】
2014157387.tif 000007
【図６】
2014157387.tif 000008
【図７】
2014157387.tif 000009
【図８】
2014157387.tif 000010
【図９】
2014157387.tif 000011
【図１０】
2014157387.tif 000012
【図１１】
2014157387.tif 000013
【図１２】
2014157387.tif 000014
【図１３】
2014157387.tif 000015
【図１４】
2014157387.tif 000016
【図１５】
2014157387.tif 000017
【図１６】
2014157387.tif 000018
【図１７】
2014157387.tif 000019
【図１８】
2014157387.tif 000020
【図１９】
2014157387.tif 000021
【図２０】
2014157387.tif 000022
【図２１】
2014157387.tif 000023